(57)【要約】【課題】第１冷却水回路の冷却水と第２冷却水回路の冷却水とを混合させる弁の開度を、ポンプからの冷却水の実際の吐出流量に応じた適切な値に応答性よく且つ精度よく調整する際、その調整を簡単な構成で実現することのできる車両の冷却装置を提供する。【解決手段】第１冷却水回路のバイパス経路の冷却水と第２冷却水回路の冷却水とを混合させる弁としてリリーフ弁７が用いられる。リリーフ弁７は、ばね８の弾性力により閉弁方向に付勢されるとともに自身の上流側の圧力と下流側の圧力との圧力差に基づく力を開弁方向に受ける弁体９を備えている。このため、閉弁しているリリーフ弁７の開弁については、同リリーフ弁７の上流側の圧力と下流側の圧力との圧力差に基づき弁体９に対し開弁方向に働く力がばね８の弾性力により同弁体に対し閉弁方向に作用する力よりも大きくなるよう、ウォータポンプ３の吐出流量を増大させることによって実現される。【選択図】図１
2011099400.tif 000002
【特許請求の範囲】
【請求項１】
ポンプの駆動によりエンジンの内部を通って冷却水を循環させる第１冷却水回路と、前記ポンプの駆動により前記エンジンを通過させずに冷却水を循環させる第２冷却水回路と、閉弁に応じて前記第１冷却水回路での冷却水の循環を禁止するとともに、開弁に応じて前記第１冷却水回路の冷却水と前記第２冷却水回路の冷却水とを混合させる弁とを備える車両の冷却装置において、
前記弁は、ばねの弾性力により閉弁方向に付勢されるとともに自身の上流側の圧力と下流側の圧力との圧力差に基づく力を開弁方向に受ける弁体を備え、前記圧力差に基づき前記弁体の開度調整を行うリリーフ弁とされている
ことを特徴とする車両の冷却装置。
【請求項２】
請求項１記載の車両の冷却装置において、
前記ポンプの吐出流量を調整すべく同ポンプを駆動制御するポンプ制御部を備え、
前記ポンプ制御部は、エンジン冷却要求がないときには前記リリーフ弁を閉弁状態とすべく前記ポンプの吐出流量を調整し、エンジン冷却要求があるときには前記リリーフ弁を開弁状態とすべく前記ポンプの吐出流量を調整する
ことを特徴とする車両の冷却装置。
【請求項３】
請求項１記載の車両の冷却装置において、
前記ポンプの吐出流量を調整すべく同ポンプを駆動制御するポンプ制御部を備え、
前記第２冷却水回路には、エンジンの排気と同第２冷却水回路の冷却水との熱交換により同冷却水を加熱する排熱回収器と、その冷却水と車室内に送風される空気との熱交換により同空気を暖めるヒータコアとが設けられており、
前記ポンプ制御部は、前記車室内の暖房要求がないときには前記リリーフ弁を閉弁状態とすべく前記ポンプの吐出流量を調整し、暖房要求があるときには前記リリーフ弁を開弁状態とすべく前記ポンプの吐出流量を調整する
ことを特徴とする車両の冷却装置。
【請求項４】
前記第１冷却水回路は、前記リリーフ弁を迂回する迂回通路と、その迂回通路の冷却水の通過を許可したり禁止したりすべく開閉するサーモ弁とを備え、
前記サーモ弁は、前記第１冷却水回路の冷却水の温度がエンジンの暖機完了の判定値未満のときには閉弁状態となって前記迂回通路での冷却水の通過を禁止し、前記冷却水の温度が前記判定値以上であるときには同冷却水の熱を受けて開弁する
請求項１記載の車両の冷却装置。
【請求項５】
請求項４記載の車両の冷却装置において、
前記ポンプの吐出流量を調整すべく同ポンプを駆動制御するポンプ制御部を備え、
前記ポンプ制御部は、エンジン冷却要求がないときには前記リリーフ弁を閉弁状態とすべく前記ポンプの吐出流量を調整し、前記第１冷却水回路の冷却水の温度が前記判定値未満である状況下に限って、エンジン冷却要求があるときに前記リリーフ弁を開弁状態とすべく前記ポンプの吐出流量を調整する
ことを特徴とする車両の冷却装置。
【請求項６】
請求項４記載の車両の冷却装置において、
前記ポンプの吐出流量を調整すべく同ポンプを駆動制御するポンプ制御部を備え、
前記第２冷却水回路には、エンジンの排気と同第２冷却水回路の冷却水との熱交換により同冷却水を加熱する排熱回収器と、その冷却水と車室内に送風される空気との熱交換により同空気を暖めるヒータコアとが設けられており、
前記ポンプ制御部は、前記車室内の暖房要求がないときには前記リリーフ弁を閉弁状態とすべく前記ポンプの吐出流量を調整し、前記第１冷却水回路の冷却水の温度が前記判定値未満である状況下に限って、暖房要求があるときに前記リリーフ弁を開弁状態とすべく前記ポンプの吐出流量を調整する
ことを特徴とする車両の冷却装置。
【発明の詳細な説明】
【技術分野】
【０００１】
本発明は、車両の冷却装置に関する。
【背景技術】
【０００２】
従来より、エンジンを通過して冷却水を循環させる第１冷却水回路と、エンジンを通過せずに冷却水を循環させる第２冷却水回路とを備え、それら回路毎に独立して冷却水を循環させることの可能な車両の冷却装置が提案されている。こうした冷却装置において、第１冷却水回路はエンジンの冷却に用いられ、第２冷却水回路は例えば特許文献１に示されるようにエンジンの排熱の回収及び車室内の暖房のために用いられる。
【０００３】
図１５は、上記特許文献１の冷却装置の構成を示している。同装置における第１冷却水回路内で循環する冷却水は、第１ウォータポンプ５２から吐出されてエンジン５０の内部を通過し、同エンジン５０下流のラジエータ５３で放熱された後にサーモスタット５４を介して上記第１ウォータポンプ５２に戻る。第１冷却水回路のサーモスタット５４は、流入する冷却水の温度に感応して動作し、冷却水のラジエータ５３の通過を禁止または許可するものである。また、第２冷却水回路を循環する冷却水は、第２ウォータポンプ５５から吐出された後、車室内に送風される空気を上記冷却水の熱で加熱するヒータコア５６、エンジン５０の排ガスとの間での熱交換により同排ガスの熱を回収する排熱回収器５１、冷却水の流れを制御するための三方弁５７を通って再び第２ウォータポンプ５５に戻る。この第２冷却水回路には、第２ウォータポンプ５５の下流における冷却水の温度を検出する水温センサ６０が設けられている。なお、第１冷却水回路と第２冷却水回路とは、エンジン５０の下流側と三方弁５７とを接続する水路５８と、排熱回収器５１の下流側とサーモスタット５４とを接続する水路５９とによって互いに接続されている。
【０００４】
こうした従来の車両の冷却装置において、上記サーモスタット５４は、流入する冷却水の温度が低いときには閉弁し、同サーモスタット５４を通じた冷却水の流れを遮断する。また、三方弁５７は、上記水温センサ６０の検出する温度に応じて制御され、その検出温度が低いときには上記排熱回収器５１と第２ウォータポンプ５５を接続し、同検出温度が高いときにはエンジン５０と第２ウォータポンプ５５とを接続する。更に、第１ウォータポンプ５２は、上記水温センサ６０の検出する温度に応じて制御され、その検出温度が低いときには動作を停止する。
【０００５】
図１６には、水温センサ６０の検出する第２ウォータポンプ５５下流の冷却水の温度が低いときの冷却水の流れが矢印で示されている。このときのサーモスタット５４は閉弁し、また三方弁５７は排熱回収器５１と第２ウォータポンプ５５とを接続するように動作する。そのため、このときには第１冷却水回路と第２冷却水回路とが分離されることとなる。また、このときの第１ウォータポンプ５２は停止され、第２ウォータポンプ５５のみが作動している。そのため、このときの車両の冷却装置では、第２冷却水回路のみで冷却水が循環されるようになる。すなわち、このときの冷却水は、第２ウォータポンプ５５から、ヒータコア５６、排熱回収器５１を通り、再び第２ウォータポンプ５５に戻るように流される。一方、このときのエンジン５０には、冷却水が循環せずにその内部に留められるため、冷却水の昇温が、ひいてはエンジン５０の暖機が促進されるようになる。また、このときに車室内の暖房が行われているのであれば、排熱回収器５１において排ガスの熱で加熱された冷却水がヒータコア５６に送られるため、排熱回収器５１の回収した排ガスの熱で送風を温めることができるようになる。
【０００６】
一方、図１７には、水温センサ６０の検出する第２ウォータポンプ５５下流の冷却水の温度が高いときの冷却水の流れが矢印で示されている。このときのサーモスタット５４は開弁し、三方弁５７はエンジン５０と第２ウォータポンプ５５を接続するように動作する。また、このときの第１ウォータポンプ５２及び第２ウォータポンプ５５は、双方ともに作動している。そのため、このときの車両の冷却装置では、２つの冷却水の循環ループとして次の第１の循環ループ及び第２の循環ループが形成される。第１の循環ループは、第１ウォータポンプ５２より、エンジン５０の内部、ラジエータ５３、サーモスタット５４を通って第１ウォータポンプ５２に戻るループである。また、第２の循環ループは、エンジン５０の通過後に上記第１の循環ループから分流し、第２ウォータポンプ５５、ヒータコア５６、排熱回収器５１を通り、サーモスタット５４において上記第２の循環ループと再び合流するループである。このときには、上記第１冷却水回路の冷却水と上記第２冷却水回路の冷却水とが混合されるようになる。そのため、混合前の第２冷却水回路の冷却水が、排熱回収器５１において排ガスの熱により十分に昇温されていれば、同混合によりエンジン５０に流入する冷却水の温度を高めることができ、ひいてはエンジン５０の暖機を促進することができるようになる。
【０００７】
ところで、上記従来の車両の冷却装置では、エンジン５０の始動開始直後より第１冷却水回路におけるエンジン５０の内部の冷却水がエンジン５０の発熱で昇温される。このため、水温センサ６０の検出する冷却水の温度が高くなって上記冷却水の混合を行う前に、第１冷却水回路におけるエンジン５０内の冷却水の温度が第２冷却水回路の冷却水の温度よりも高くなることがある。
【０００８】
こうしたことを考慮して、以下の［１］及び［２］に示される状況のときには、水温センサ６０によって検出される冷却水の温度が低く、三方弁５７が第１冷却水回路と第２冷却水回路とを遮断するように動作しているときでも、それら冷却水回路の冷却水が混合されるよう三方弁５７を動作させることが考えられる。［１］三方弁５７による第１冷却水回路と第２冷却水回路との遮断に伴いエンジン５０の内部に滞留する冷却水が、エンジン５０の発熱により沸騰するおそれのある値まで昇温したとき。［２］三方弁５７による第１冷却水回路と第２冷却水回路との遮断時に車室内を暖房する必要が大きくなり、それに応じてヒータコア５６を通過する冷却水の温度を早急に高くする必要があるとき。
【０００９】
上記［１］の状況のとき、三方弁５７が第１冷却水回路の冷却水を第２冷却水回路の冷却水に混合するように動作すると、第１冷却水回路の冷却水が第２冷却水回路に流れ込むため、エンジン５０内に滞留していた高温の冷却水がエンジン５０外に流される。これにより、エンジン５０内に滞留していた上記冷却水がエンジン５０の発熱により昇温して沸騰することを抑制できるようになる。また、上記［２］の状況のとき、三方弁５７が第１冷却水回路の冷却水を第２冷却水回路の冷却水に混合するように動作すると、第１冷却水回路の冷却水が第２冷却水回路に流れ込むため、エンジン５０内に滞留していた高温の冷却水が２冷却水回路のヒータコア５６を通過する。これにより、車室内に送風される空気をヒータコア５６の冷却水で効果的に加熱し、車室内の暖房要求を満たすことができるようになる。
【００１０】
ここで、上記［１］もしくは［２］の状況のとき、第１冷却水回路の冷却水が第２冷却水回路の冷却水と混合されるように三方弁５７を動作させる際には、ウォータポンプの冷却水の吐出流量が増大するに従って、三方弁５７における第２冷却水回路側に対する第１冷却水回路側の開度を精度よく且つ精度よく徐々に大きくしてゆくことが望まれている。なお、この例での上記ウォータポンプの吐出流量は、第１ウォータポンプ５２と第２ウォータポンプ５５とを一つのウォータポンプとみなした場合の同ポンプの吐出流量ということになる。
【００１１】
上述したようにウォータポンプの吐出流量の変化に従って三方弁５７の上記開度を応答性よく且つ精度よく徐々に変化させてゆくことが望まれるのは、次の理由による。すなわち、ウォータポンプの吐出流量が少ないときには、三方弁５７の上記開度が小さすぎると、例えば上記［１］の状況下ではエンジン５０の内部に冷却水が滞留しやすくなって同冷却水が沸騰するおそれがある。また、ウォータポンプの吐出流量が多いときには、三方弁５７の上記開度が大きすぎると、例えば上記［２］の状況下ではエンジン５０内に滞留した高温の冷却水が急速にエンジン５０外に流され、エンジン５０内部が新たに流入した冷却水により冷えすぎた状態となってエンジン５０の燃費が悪化するおそれがある。更に、例えば上記［１］の状況ではエンジン５０内に滞留した高温の冷却水が急速にエンジン５０外に流されることにより、エンジン５０内やエンジン５０下流側での冷却水の温度が急変し、その冷却水の温度の急変に伴いエンジン５０内部やエンジン５０下流の部品に亀裂が生じるおそれもある。以上のような各種の不具合が生じないようにするためには、上記［１］もしくは［２］の状況のとき、第１冷却水回路の冷却水が第２冷却水回路の冷却水と混合されるように三方弁５７を動作させる際、ウォータポンプの吐出流量の変化に従って三方弁５７の上記開度を応答性よく且つ精度よく徐々に変化させてゆくことが好ましい。
【００１２】
そして、上記のようにウォータポンプの吐出流量の変化に従って三方弁５７の上記開度を応答性よく且つ精度よく徐々に変化させてゆくことを実現するためには、三方弁５７を電磁弁により形成してデューティ制御によりウォータポンプの吐出流量に基づく三方弁５７の上記開度調整を行うことが考えられる。具体的には、上記ウォータポンプの吐出流量はエンジン運転状態に応じて定められる目標吐出流量となるよう調整されるため、その目標吐出流量が多くなるに従って三方弁５７の上記開度が徐々に大きくなるよう同三方弁５７を動作させる。このように三方弁５７を動作させることにより、上記［１］もしくは［２］の状況で第１冷却水回路の冷却水を第２冷却水回路の冷却水と混合させる際、上述した各種不具合の発生の抑制が図られるようになる。
【先行技術文献】
【特許文献】
【００１３】
【特許文献１】特開２００８−２０８７１６公報
【発明の概要】
【発明が解決しようとする課題】
【００１４】
上述した従来の冷却装置では、ウォータポンプの目標吐出流量に基づき三方弁５７の上記開度を調整する際、ウォータポンプの目標吐出流量の変化に対する実際の吐出流量の変化に応答遅れが生じることに起因して、次のような問題が生じるおそれがある。
【００１５】
すなわち、ウォータポンプの目標吐出流量が変化したとき、その目標吐出流量の変化に対し実際の吐出流量の変化には応答遅れが生じる一方、目標吐出流量の上記変化に基づく三方弁５７の上記開度の変化は速やかに行われる。このため、上記目標吐出流量が変化するとき、ウォータポンプの実際の吐出流量に対し三方弁５７の上記開度が不適切になる可能性があり、そのことが上述した各種の不具合を招く原因となるおそれがある。
【００１６】
例えば、ウォータポンプの実際の吐出流量が少ない状態のもとで三方弁５７の上記開度が小さすぎる値となる場合、上記［１］の状況下ではエンジン５０の内部に冷却水が滞留しやすくなって同冷却水が沸騰するおそれがある。また、ウォータポンプの実際の吐出流量が多い状態のもとで三方弁５７の上記開度が大きすぎる値となる場合、上記［２］の状況下ではエンジン５０内部が新たに流入した冷却水により冷えすぎた状態となってエンジン５０の燃費が悪化するおそれがある。更に、ウォータポンプの実際の吐出流量が多い状態のもとで三方弁５７の上記開度が大きすぎる値となる場合、上記［１］の状況下ではエンジン５０内やエンジン５０下流側での冷却水の温度が急変して部品に亀裂が生じるおそれがある。
【００１７】
なお、ウォータポンプの目標吐出流量に基づき三方弁５７の上記開度を調整する際、目標吐出流量が変化したときのウォータポンプの実際の吐出流量の応答遅れを加味して三方弁５７の上記開度が調整されるよう同三方弁５７の動作を制御し、上述した各種の不具合が生じないようにすることも考えられる。しかし、このように三方弁５７の動作を制御するためには、それを実施するための三方弁５７の制御プログラム等の開発に多大な時間と手間を要し、冷却装置の製造コスト増大を招くこととなる。
【００１８】
本発明はこのような実情に鑑みてなされたものであって、その目的は、第１冷却水回路の冷却水と第２冷却水回路の冷却水とを混合させる弁の開度を、ポンプからの冷却水の実際の吐出流量に応じた適切な値に応答性よく且つ精度よく調整する際、その調整を簡単な構成で実現することのできる車両の冷却装置を提供することにある。
【課題を解決するための手段】
【００１９】
以下、上記目的を達成するための手段及びその作用効果について記載する。
請求項１記載の発明では、ポンプの駆動によりエンジンの内部を通って冷却水を循環させる第１冷却水回路と、上記ポンプの駆動により前記エンジンを通過させずに冷却水を循環させる第２冷却水回路との間での冷却水の流通が、弁の開閉によって許可されたり禁止されたりする。そして、上記弁の閉弁に基づき第１冷却水通路と第２冷却水通路との間での冷却水の流通が禁止されると、第１冷却水回路での冷却水の循環が禁止される。一方、上記弁の開弁に基づき第１冷却水通路と第２冷却水通路との間での冷却水の流通が許可されると、第１冷却水回路の冷却水と第２冷却水回路の冷却水とが混合される。
【００２０】
上記弁の開弁に基づく第１冷却水回路の冷却水と第２冷却水回路の冷却水との混合は、例えば、［１］上記弁の閉弁時にエンジンの内部に滞留する冷却水が同エンジンの発熱により沸騰するおそれのある値まで昇温したときや、［２］上記弁の閉弁時に車室内を暖房する必要が大きくなり、それに応じてエンジンの内部に滞留した高温の冷却水を車室内の暖房に利用しようとするときに行われる。こうした状況のもとで、第１冷却水回路の冷却水が第２冷却水回路の冷却水と混合されるように上記弁を開弁動作させる際には、ポンプの冷却水の吐出流量が増大するに従って上記弁の開度を応答性よく且つ精度よく徐々に大きくしてゆくことが望まれている。これは、ウォータポンプの実際の吐出流量の変化に応じて上述したように弁の開度を応答性よく且つ精度よく徐々に変化させてゆくことが、エンジンの内部での冷却水の沸騰の抑制、エンジンの内部及びその下流側での冷却水の温度の急変に伴う部品の亀裂の抑制、及びエンジンの燃費悪化の抑制、等々の観点から好ましいためである。
【００２１】
ここで、請求項１記載の発明においては、上記弁としてリリーフ弁が用いられている。このリリーフ弁は、ばねの弾性力により閉弁方向に付勢されるとともに自身の上流側の圧力と下流側の圧力との圧力差に基づく力を開弁方向に受ける弁体を備えている。このため、第１冷却水回路の冷却水と第２冷却水回路の冷却水との混合は、ポンプの吐出流量を増量することによって実現される。詳しくは、リリーフ弁の上流側の圧力と下流側の圧力との圧力差に基づき弁体に対し開弁方向に働く力が、ばねの弾性力により同弁体に対し閉弁方向に作用する力よりも大きくなるよう、ポンプの吐出流量を増大させることにより、リリーフ弁が開弁し、第１冷却水回路の冷却水と第２冷却水回路の冷却水との混合が実現される。
【００２２】
上述したようにポンプの吐出流量を増大させてリリーフ弁を開弁させる際、そのリリーフ弁の開度はポンプの実際の吐出流量の変化に対応して応答性よく調整される。すなわち、ポンプの吐出流量が変化すると、それに応じてリリーフ弁の弁体の上流側の圧力と下流側の圧力との圧力差、更には同圧力差に基づき上記弁体に作用する力の大きさが速やかに変化し、その変化後の力に基づいてリリーフ弁（弁体）の開度が速やかに且つ精度よく調整される。
【００２３】
このため、リリーフ弁を開弁状態とするためのポンプの吐出流量をエンジン運転状態等に応じて変化させる過程で、ポンプの吐出流量の変化に対しリリーフ弁の開度の変化に応答遅れが生じ、その応答遅れに起因してポンプの吐出流量が少ない状態のもとでリリーフ弁の開度が小さすぎる値になることはない。仮に、このことが上記［１］の状況下で生じた場合、エンジンの内部に冷却水が滞留しやすくなって同冷却水が沸騰するというおそれがあるが、こうした不具合が生じることを抑制できる。また、上記ポンプの吐出流量の変化に対しリリーフ弁の開度の変化に応答遅れが生じ、その応答遅れに起因してポンプの吐出流量が多い状態のもとでリリーフ弁の開度が大きすぎる値になることもない。仮に、このことが上記［２］の状況下で生じた場合にはエンジンの内部が新たに流入した冷却水により冷えすぎた状態となってエンジンの燃費が悪化するおそれがあり、上記［１］の状況下で生じた場合にはエンジンの内部や同エンジンの下流側での冷却水の温度が急変して部品に亀裂が生じるおそれがある。しかし、こうした不具合が生じることを抑制できるようになる。
【００２４】
以上のように、第１冷却水回路の冷却水と第２冷却水回路の冷却水とを混合させる弁としてリリーフ弁を用いることにより、ポンプの実際の吐出流量が変化するに従って上記弁（リリーフ弁）の開度を応答性よく且つ精度よく徐々に変化させることができ、上述した各種の不具合が生じることを抑制できる。また、ポンプの吐出流量の変化に従って上記弁の開度を応答性よく且つ精度よく徐々に変化させてゆくことを、リリーフ弁という簡単な構成で実現することができる。
【００２５】
請求項２記載の発明では、第１冷却水回路の冷却水や第２冷却水回路の冷却水で冷却水を循環させるポンプがポンプ制御部により駆動制御され、その駆動制御を通じて同ポンプにおける冷却水の吐出流量が調整される。上記ポンプ制御部は、エンジン運転状態等に応じてポンプの吐出流量を調整するほか、エンジン冷却要求の有無に応じてリリーフ弁を開閉させるようポンプの吐出流量を調整する。なお、上記エンジン冷却要求は、例えば、［１］リリーフ弁の閉弁時にエンジンの内部に滞留する冷却水が同エンジンの発熱により沸騰するおそれのある値まで昇温したとき等になされる。そして、上記エンジン冷却要求がないときには上記リリーフ弁が閉弁状態となるようポンプ制御部によりポンプの吐出流量が調整され、上記エンジン冷却要求があるときには上記リリーフ弁が開弁状態となるようポンプ制御部によりポンプの吐出流量が調整される。
【００２６】
上述したように、エンジン冷却要求があるときにリリーフ弁を開弁状態とすべくポンプの吐出流量を調整する際、そのポンプの吐出流量はエンジン運転状態等に応じて可変とされるようになる。こうした状況のもとでも、ポンプの吐出流量を増大させてリリーフ弁を開弁させる際、そのリリーフ弁の開度はエンジン運転状態に応じて可変とされるポンプの実際の吐出流量の変化に対応して応答性よく調整される。すなわち、ポンプの吐出流量がエンジン運転状態の変化に伴って変化すると、それに応じてリリーフ弁の弁体の上流側の圧力と下流側の圧力との圧力差、ひいては同圧力差に基づき上記弁体に作用する力の大きさが速やかに変化し、その変化後の力に基づいてリリーフ弁（弁体）の開度が速やかに且つ精度よく調整される。
【００２７】
このため、リリーフ弁を開弁状態とするためのポンプの吐出流量をエンジン運転状態に応じて変化させる過程で、ポンプの吐出流量の変化に対しリリーフ弁の開度の変化に応答遅れが生じ、その応答遅れに起因して上記［１］の状況下でエンジンの内部に冷却水が滞留しやすくなって同冷却水が沸騰するという不具合が生じることは抑制される。また、上記ポンプの吐出流量の変化に対しリリーフ弁の開度の変化に応答遅れが生じ、その応答遅れに起因して上記［１］の状況下でエンジンの内部や同エンジンの下流側での冷却水の温度が急変して部品に亀裂が生じるという不具合が生じることも抑制される。
【００２８】
このように、請求項２記載の発明によれば、リリーフ弁の採用により、ポンプの実際の吐出流量の変化に従って同弁の開度を応答性よく且つ精度よく変化させることができ、上述した各種の不具合が生じることを簡単な構成で抑制することができる。
【００２９】
請求項３記載の発明では、第１冷却水回路の冷却水や第２冷却水回路の冷却水で冷却水を循環させるポンプがポンプ制御部により駆動制御され、その駆動制御を通じて同ポンプにおける冷却水の吐出流量が調整される。上記ポンプ制御部は、エンジン運転状態等に応じてポンプの吐出流量を調整するほか、車室内の暖房要求の有無に応じてリリーフ弁を開閉させるようポンプの吐出流量を調整する。なお、上記暖房要求は、例えば、［２］車室内を暖房する必要が大きくなり、それに応じてエンジンの内部に滞留した高温の冷却水を車室内の暖房に利用しようとするときになされる。そして、上記暖房要求がないときには上記リリーフ弁が閉弁状態となるようポンプ制御部によりポンプの吐出流量が調整され、上記暖房要求があるときには上記リリーフ弁が開弁状態となるようポンプ制御部によりポンプの吐出流量が調整される。
【００３０】
上述したように、暖房要求があるときにリリーフ弁を開弁状態とすべくポンプの吐出流量を調整する際、そのポンプの吐出流量はエンジン運転状態に応じて可変とされるようになる。こうした状況のもとでも、ポンプの吐出流量を増大させてリリーフ弁を開弁させる際、そのリリーフ弁の開度はエンジン運転状態に応じて可変とされるポンプの実際の吐出流量の変化に対応して応答性よく調整される。すなわち、ポンプの吐出流量がエンジン運転状態の変化に伴って変化すると、それに応じてリリーフ弁の弁体の上流側の圧力と下流側の圧力との圧力差、ひいては同圧力差に基づき上記弁体に作用する力の大きさが速やかに変化し、その変化後の力に基づいてリリーフ弁（弁体）の開度が速やかに且つ精度よく調整される。
【００３１】
このため、リリーフ弁を開弁状態とするためのポンプの吐出流量をエンジン運転状態に応じて変化させる過程で、ポンプの吐出流量の変化に対しリリーフ弁の開度の変化に応答遅れが生じ、その応答遅れに起因して上記［２］の状況下でエンジンの内部が新たに流入した冷却水により冷えすぎた状態となって同エンジンの燃費が悪化するという不具合が生じることは抑制される。
【００３２】
このように、請求項３記載の発明によれば、リリーフ弁の採用により、ポンプの実際の吐出流量の変化に従って同弁の開度を応答性よく且つ精度よく変化させることができ、上述した不具合が生じることを簡単な構成で抑制することができる。
【００３３】
請求項４記載の発明では、ポンプの吐出流量の調整を通じてリリーフ弁が開閉され、そのリリーフ弁の開閉によって第１冷却水回路と第２冷却水回路との間での冷却水の流通が許可されたり禁止されたりする。そして、上記リリーフ弁の閉弁に基づき第１冷却水通路と第２冷却水通路との間での冷却水の流通が禁止されると、同第１冷却水回路での冷却水の循環が禁止される。また、上記リリーフ弁の開弁に基づき第１冷却水通路と第２冷却水通路との間で冷却水の流通が許可されると、第１冷却水回路の冷却水と第２冷却水回路の冷却水とが混合される。上記リリーフ弁の閉弁状態にあっては、例えば、エンジンの内部に滞留する冷却水が同エンジンの発熱により沸騰するおそれのある値まで昇温したときや、エンジンの内部に滞留した高温の冷却水を車室内の暖房に利用しようとするとき等に、上記リリーフ弁が開弁状態となるまでポンプの吐出流量が増大側に調整される。
【００３４】
ただし、第１冷却水回路の冷却水の温度がエンジンの暖機完了の判定値以上であれば、上記リリーフ弁を迂回する迂回通路での冷却水の通過を許可したり禁止したりすべく開閉するサーモ弁が開弁し、そのサーモ弁及び迂回通路を通じて第１冷却水回路での冷却水の循環が行われるようになる。このため、上述したようにリリーフ弁を開弁状態とすべくポンプの吐出流量を増大側に調整することは、第１冷却水回路の冷却水が上記判定値未満である状況下に限って行えばよく、第１冷却水回路の冷却水が上記判定値以上であるときには行う必要がない。従って、第１冷却水回路の冷却水が上記判定値以上であるとき、リリーフ弁を開弁状態とすべくポンプの吐出流量を増大側に調整することを行わなくてもよい分、そのポンプの駆動に伴うエネルギ消費を削減することができる。
【００３５】
請求項５記載の発明では、第１冷却水回路の冷却水や第２冷却水回路の冷却水で冷却水を循環させるポンプがポンプ制御部により駆動制御され、その駆動制御を通じて同ポンプにおける冷却水の吐出流量が調整される。上記ポンプ制御部は、エンジン運転状態等に応じてポンプの吐出流量を調整するほか、エンジン冷却要求がないときにはリリーフ弁を閉弁状態とすべくポンプの吐出流量を調整し、第１冷却水回路の冷却水の温度が上記判定値未満である状況下に限って、エンジン冷却要求があるときにリリーフ弁を開弁させるようポンプの吐出流量を調整する。なお、上記エンジン冷却要求は、例えば、［１］リリーフ弁の閉弁時にエンジンの内部に滞留する冷却水が同エンジンの発熱により沸騰するおそれのある値まで昇温したとき等になされる。
【００３６】
上述したように、エンジン冷却要求があることに基づきリリーフ弁を開弁状態とすべくポンプの吐出流量を調整する際、そのポンプの吐出流量はエンジン運転状態に応じて可変とされるようになる。こうした状況のもとでも、ポンプの吐出流量を増大させてリリーフ弁を開弁させる際、そのリリーフ弁の開度はエンジン運転状態に応じて可変とされるポンプの実際の吐出流量の変化に対応して応答性よく調整される。すなわち、ポンプの吐出流量がエンジン運転状態の変化に伴って変化すると、それに応じてリリーフ弁の弁体の上流側の圧力と下流側の圧力との圧力差、ひいては同圧力差に基づき上記弁体に作用する力の大きさが速やかに変化し、その変化後の力に基づいてリリーフ弁（弁体）の開度が速やかに且つ精度よく調整される。
【００３７】
このため、リリーフ弁を開弁状態とするためのポンプの吐出流量をエンジン運転状態に応じて変化させる過程で、ポンプの吐出流量の変化に対しリリーフ弁の開度の変化に応答遅れが生じ、その応答遅れに起因して上記［１］の状況下でエンジンの内部に冷却水が滞留しやすくなって同冷却水が沸騰するという不具合が生じることは抑制される。また、上記ポンプの吐出流量の変化に対しリリーフ弁の開度の変化に応答遅れが生じ、その応答遅れに起因して上記［１］の状況下でエンジンの内部や同エンジンの下流側での冷却水の温度が急変して部品に亀裂が生じるという不具合が生じることも抑制される。
【００３８】
このように、請求項５記載の発明によれば、リリーフ弁の採用により、ポンプの実際の吐出流量の変化に従って同弁の開度を応答性且つ精度よくよく変化させることができ、上述した各種の不具合が生じることを簡単な構成で抑制することができる。また、請求項５記載の発明によれば、第１冷却水回路にリリーフ弁と並列に上記迂回通路及び上記サーモ弁が設けられるため、リリーフ弁を開弁状態とすべくポンプの吐出流量を増大側に調整することは、第１冷却水回路の冷却水が上記判定値未満である状況下に限って行えばよく、第１冷却水回路の冷却水が上記判定値以上であるときには行う必要がない。従って、第１冷却水回路の冷却水が上記判定値以上であるとき、リリーフ弁を開弁状態とすべくポンプの吐出流量を増大側に調整することを行わなくてもよい分、そのポンプの駆動に伴うエネルギ消費を削減することができる。
【００３９】
請求項６記載の発明では、第１冷却水回路の冷却水や第２冷却水回路の冷却水で冷却水を循環させるポンプがポンプ制御部により駆動制御され、その駆動制御を通じて同ポンプにおける冷却水の吐出流量が調整される。上記ポンプ制御部は、エンジン運転状態等に応じてポンプの吐出流量を調整するほか、車室内の暖房要求がないときには上記リリーフ弁が閉弁状態となるようポンプ制御部によりポンプの吐出流量を調整し、第１冷却水回路の冷却水の温度が上記判定値未満である状況下に限って、上記暖房要求があるときに上記リリーフ弁が開弁状態となるようポンプの吐出流量を調整する。なお、上記暖房要求は、例えば、［２］車室内を暖房する必要が大きくなり、それに応じてエンジンの内部に滞留した高温の冷却水を車室内の暖房に利用しようとするときになされる。
【００４０】
上述したように、暖房要求があることに基づいてリリーフ弁を開弁状態とすべくポンプの吐出流量を調整する際、そのポンプの吐出流量はエンジン運転状態に応じて可変とされるようになる。こうした状況のもとでも、ポンプの吐出流量を増大させてリリーフ弁を開弁させる際、そのリリーフ弁の開度はエンジン運転状態に応じて可変とされるポンプの実際の吐出流量の変化に対応して応答性よく調整される。すなわち、ポンプの吐出流量がエンジン運転状態の変化に伴って変化すると、それに応じてリリーフ弁の弁体の上流側の圧力と下流側の圧力との圧力差、ひいては同圧力差に基づき上記弁体に作用する力の大きさが速やかに変化し、その変化後の力に基づいてリリーフ弁（弁体）の開度が速やかに且つ精度よく調整される。
【００４１】
このため、リリーフ弁を開弁状態とするためのポンプの吐出流量をエンジン運転状態に応じて変化させる過程で、ポンプの吐出流量の変化に対しリリーフ弁の開度の変化に応答遅れが生じ、その応答遅れに起因して上記［２］の状況下でエンジンの内部が新たに流入した冷却水により冷えすぎた状態となって同エンジンの燃費が悪化するという不具合が生じることは抑制される。
【００４２】
このように、請求項６記載の発明によれば、リリーフ弁の採用により、ポンプの実際の吐出流量の変化に従って同弁の開度を応答性よく且つ精度よく変化させることができ、上述した各種の不具合が生じることを簡単な構成で抑制することができる。また、請求項５記載の発明によれば、第１冷却水回路にリリーフ弁と並列に上記迂回通路及び上記サーモ弁が設けられるため、リリーフ弁を開弁状態とすべくポンプの吐出流量を増大側に調整することは、第１冷却水回路の冷却水が上記判定値未満である状況下に限って行えばよく、第１冷却水回路の冷却水が上記判定値以上であるときには行う必要がない。従って、第１冷却水回路の冷却水が上記判定値以上であるとき、リリーフ弁を開弁状態とすべくポンプの吐出流量を増大側に調整することを行わなくてもよい分、そのポンプの駆動に伴うエネルギ消費を削減することができる。
【図面の簡単な説明】
【００４３】
【図１】第１実施形態の冷却装置における冷却水回路の全体構成を示す略図。
【図２】同冷却水回路におけるエンジン暖機完了前であってリリーフ弁閉弁時の冷却水の流れを示す略図。
【図３】同冷却水回路におけるエンジン暖機完了前であってリリーフ弁開弁時の冷却水の流れを示す略図。
【図４】同冷却水回路におけるエンジン暖機完了後であってリリーフ弁閉弁時の冷却水の流れを示す略図。
【図５】同冷却水回路におけるエンジン暖機完了後であってリリーフ弁開弁時の冷却水の流れを示す略図。
【図６】同冷却水回路におけるエンジン暖機完了後であって高水温時の冷却水の流れを示す略図。
【図７】第１実施形態の冷却装置におけるウォータポンプの駆動手順を示すフローチャート。
【図８】ウォータポンプの吐出流量の増大に伴うリリーフ弁の開度の変化を示すグラフ。
【図９】第２実施形態の冷却装置における冷却水回路の全体構成を示す略図。
【図１０】同冷却水回路におけるエンジン暖機完了前であってリリーフ弁閉弁時の冷却水の流れを示す略図。
【図１１】同冷却水回路におけるエンジン暖機完了前であってリリーフ弁開弁時の冷却水の流れを示す略図。
【図１２】同冷却水回路におけるエンジン暖機完了後であってリリーフ弁閉弁時の冷却水の流れを示す略図。
【図１３】同冷却水回路におけるエンジン暖機完了後であって高水温時の冷却水の流れを示す略図。
【図１４】第２実施形態の冷却装置におけるウォータポンプの駆動手順を示すフローチャート。
【図１５】従来の冷却装置における冷却水回路の全体構成を示す略図。
【図１６】従来の冷却装置における冷却水回路の低水温時における冷却水の流れを示す略図。
【図１７】従来の冷却装置における冷却水回路の高水温時における冷却水の流れを示す略図。
【発明を実施するための形態】
【００４４】
［第１実施形態］
以下、本発明を車両用の冷却装置に具体化した第１実施形態を図１〜図８に従って説明する。
【００４５】
図１は、本実施形態の車両の冷却装置の冷却水回路の構成を示している。この冷却装置は、エンジン１の内部を通って冷却水を循環させる第１冷却水回路と、エンジン１の内部を通らずに且つ排熱回収器２を通って冷却水を循環させる第２冷却水回路とを備えている。これら冷却水回路の冷却水は、同一のウォータポンプ３により各々循環可能となっている。このウォータポンプ３は、電動式のポンプであり、外部からの指令に基づき吐出する冷却水の流量（以下、吐出流量と記載する）を可変とする。
【００４６】
エンジン１の内部を通らずに冷却水を循環させる第２冷却水回路では、ウォータポンプ３から吐出された冷却水が、排熱回収器２、ヒータコア６、及びサーモスタット５を通ってウォータポンプ３に戻るようになっている。この第２冷却水回路の排熱回収器２は、エンジン１の排ガスと第２冷却水回路の冷却水との熱交換を行い、排ガスの熱で冷却水を加熱する熱交換器として機能する。また、上記ヒータコア６は、空気と冷却水との熱交換を通じて車室内に送風される空気を暖める熱交換器として機能する。ちなみにヒータコア６は、排熱回収器２により排ガスから回収された熱を利用する熱利用機器でもある。なお、上記ヒータコア６の下流に位置するサーモスタット５は、そのヒータコア６を通過した後の冷却水の流通を常時許容するように形成されている。
【００４７】
一方、エンジン１の内部を通って冷却水を循環させる第１冷却水回路は、ウォータポンプ３、エンジン１、及びラジエータ４を通るメイン経路と、そのラジエータ４を迂回するバイパス経路とに分岐されている。第１冷却水回路のメイン経路に設けられたラジエータ４は、第１冷却水回路内の冷却水の熱を外気中に放熱させるためのものである。
【００４８】
上記メイン経路では、ウォータポンプ３から吐出された冷却水が、エンジン１、ラジエータ４、サーモスタット５を通った後、ウォータポンプ３に戻るようになっている。サーモスタット５は、ヒータコア６を通過した後の冷却水の温度が規定値以上となったときに開弁して、ラジエータ４を通じた冷却水の循環を許容する。また、サーモスタット５は、ヒータコア６通過後の温度が上記規定値未満のときには閉弁し、ラジエータ４を通じた冷却水の循環を禁止する。すなわち、この車両の冷却装置では、ラジエータ４は、サーモスタット５に流入する冷却水の温度が規定値以上となったときに、エンジン１の内部を通った冷却水の熱を放熱させるように能動化される。
【００４９】
また、第１冷却水回路の上記バイパス経路では、ウォータポンプ３から吐出された冷却水が、エンジン１、リリーフ弁７、ヒータコア６、及びサーモスタット５を通ってウォータポンプ３に戻るようになっている。このバイパス経路は、上記排熱回収器２の下流かつヒータコア６の上流で第２冷却水回路と合流される。上記リリーフ弁７は、閉弁に応じて第１冷却水回路のバイパス経路を通じての冷却水の循環を禁止するとともに、開弁に応じて第１冷却水回路の冷却水と第２冷却水回路の冷却水とを混合させる。このリリーフ弁７は、ばね８の弾性力により閉弁方向に付勢されるとともに自身の上流側の圧力と下流側の圧力との圧力差に基づく力を開弁方向に受ける弁体９を備え、上記圧力差に基づき弁体９の開度調整を行うものである。
【００５０】
冷却装置において、サーモスタット５を通過する冷却水の温度が上記規定値未満であって同サーモスタット５が閉弁しており、且つリリーフ弁７が閉弁しているときには、第１冷却水回路でのエンジン１内部を通じた冷却水の循環が停止される。また、上記のように閉弁状態にあるリリーフ弁７の開弁に関しては、ウォータポンプ３の吐出流量を増量することによって実現される。詳しくは、リリーフ弁７の上流側の圧力と下流側の圧力との圧力差に基づき弁体９に対し開弁方向に働く力が、ばね８の弾性力により同弁体９に対し閉弁方向に作用する力よりも大きくなるよう、ウォータポンプ３の吐出流量を増大させる。これにより、リリーフ弁７が開弁し、第１冷却水回路の冷却水と第２冷却水回路の冷却水との混合、及び第１冷却水回路でのエンジン１内部を通じた冷却水の循環が行われる。なお、リリーフ弁７を開弁させることの可能なウォータポンプ３の吐出流量の最小値のことを以下では開弁値と称する。リリーフ弁７の開度は、ウォータポンプ３の吐出流量を上記開弁値から増大させるに従って、応答性よく且つ精度よく徐々に大きくされてゆくこととなる。
【００５１】
上述した車両の冷却装置において、上記ウォータポンプ３の吐出流量は、エンジン冷却制御部１１により制御される。なお、ウォータポンプ３の吐出流量を制御するときのエンジン冷却制御部１１は、ポンプ制御部として機能する。
【００５２】
このエンジン冷却制御部１１は、エンジン１の冷却制御に係る各種演算処理を実施するＣＰＵ、制御用のプログラムやデータの記憶されたＲＯＭ、ＣＰＵの演算結果やセンサの検出結果等を一時的に記憶するＲＡＭ、外部との信号の入出力を司るＩ／Ｏを備えた電子制御ユニットとして構成されている。なお、こうしたエンジン冷却制御部１１には、第１冷却回路におけるエンジン１の出口部分の冷却水温ｔｈｗ１を検出する水温センサ１２からの検出信号、及び、エンジン回転速度を検出するための回転速度センサ１５からの検出信号、及びエンジン１の吸入空気量を検出するエアフローメータ１６からの検出信号が入力される。
【００５３】
また、車両には、車室内の空調の制御、具体的にはヒータコア６における空気の加熱及びその加熱された空気の車室内への送風の制御を司る空調制御部１３が設けられている。この空調制御部１３も、エンジン冷却制御部１１と同様に、ＣＰＵ、ＲＯＭ、ＲＡＭ、Ｉ／Ｏを備えた電子制御ユニットとして構成されている。そして、空調制御部１３とエンジン冷却制御部１１とは、車内ネットワーク（ＣＡＮ）を通じて互いに接続されており、相互通信により必要な情報を共有する。
【００５４】
図２及び図３は、冷間状態からのエンジン１の始動開始後であって、同エンジン１の暖機完了前における冷却装置での冷却水の流れを示している。通常、このときにはサーモスタット５及びリリーフ弁７が共に閉弁される。すなわち、第２冷却水回路を循環する冷却水の温度が上記規定値未満であることに基づきサーモスタット５が閉弁するとともに、リリーフ弁７が閉弁するようウォータポンプ３の吐出流量が上記開弁値未満とされる。従って、このときには図２に示されるように、第１冷却水回路での冷却水の循環が禁止されるとともに、第２冷却水回路のみにおいて冷却水が循環されるようになる。このように第１冷却水回路での冷却水の循環を禁止すると、エンジン１の内部に冷却水が滞留して同エンジン１の発熱により上記冷却水の昇温が促進され、エンジン１の暖機が早められる。また、第２冷却水回路で循環する冷却水は、排熱回収器２において排気から回収した熱により昇温される。ここで車室においてヒータがオンとなっていると、排熱回収器２において排気から回収した熱により、車室内に送風される空気が暖められる。
【００５５】
ところで、サーモスタット５及びリリーフ弁７が共に閉弁されており、第１冷却水回路での冷却水の循環が禁止されているとき、次の［１］及び［２］に示される状況では、第１冷却水回路の冷却水を第２冷却水回路に混合すべくウォータポンプ３の吐出流量が上記開弁値以上とされる。［１］リリーフ弁７の閉弁時にエンジン５０の内部に滞留する冷却水が、エンジン５０の発熱により沸騰するおそれのある値まで昇温したとき。［２］リリーフ弁７の閉弁時に車室内を暖房する必要が大きくなり、それに応じてヒータコア６を通過する冷却水の温度を早急に高くする必要があるとき。
【００５６】
そして、サーモスタット５及びリリーフ弁７が共に閉弁されて第１冷却水回路での冷却水の循環が禁止されているとき、上記［１］もしくは［２］の状況が生じると、ウォータポンプ３の冷却水の吐出流量が上記開弁値以上に増大されてリリーフ弁７が開弁される。これにより、第２冷却水回路における排熱回収器２上流の冷却水が第１冷却水回路に流れ込むとともに、その冷却水により第１冷却水回路内の冷却水がエンジン１及びリリーフ弁７を通って第２冷却水回路のヒータコア６上流に押し出される。こうして第１冷却水回路の冷却水が第２冷却水回路のヒータコア６上流に流されて同回路の冷却水と混合され、図３に示されるように第１冷却水回路での冷却水の循環が行われるようになる。
【００５７】
上記［１］の状況のとき、リリーフ弁７が開弁すると、第１冷却水回路の冷却水が第２冷却水回路に流れ込んで同回路の冷却水と混合され、それに伴いエンジン５０内に滞留していた高温の冷却水がエンジン５０外に流される。これにより、エンジン５０内に滞留していた上記冷却水がエンジン５０の発熱により昇温して沸騰することを抑制できるようになる。また、上記［２］の状況のとき、リリーフ弁７が開弁すると、上記と同様に第１冷却水回路の冷却水が第２冷却水回路に流れ込んで同回路の冷却水と混合され、エンジン５０内に滞留していた高温の冷却水が２冷却水回路のヒータコア６を通過する。このため、車室内に送風される空気をヒータコア６の冷却水で効果的に加熱し、車室内の暖房要求を満たすことができるようになる。
【００５８】
図４及び図５は、エンジン１の暖機完了後における冷却装置での冷却水の流れを示している。通常、このときにはサーモスタット５が開弁されるとともにリリーフ弁７が閉弁され、図４に示されるように第２冷却水回路での冷却水の循環、及び第１冷却水回路のメイン経路を通じての冷却水の循環が行われるようになる。すなわち、サーモスタット５を通過する冷却水の温度が上記規定値以上であることに基づきサーモスタット５が開弁されるとともに、リリーフ弁７が閉弁するようウォータポンプ３の吐出流量が上記開弁値未満とされる。なお、サーモスタット５の開弁に関係する上記規定値としては、例えば、水温センサ１２により検出される冷却水温ｔｈｗ１がエンジン１の暖機完了の判定値（この例では８０℃）となったときのサーモスタット５周りの冷却水の温度に対応した値（この例では８２℃）に設定されている。また、このときの第１冷却水回路のバイパス経路を通じての冷却水の循環はリリーフ弁７の閉弁によって禁止される。
【００５９】
エンジン１の暖機完了後、すなわちサーモスタット５の開弁後における第１冷却水回路のメイン経路を通過する冷却水の流量は、冷却水の温度に感応して開閉動作する上記サーモスタット５の開度に応じた値となる。このため、エンジン１の暖機完了直後などサーモスタット５を通過する冷却水の温度があまり高くないときには、サーモスタット５の開度が小となって第１冷却水回路のメイン経路を通過する冷却水の流量が少なくなる。また、高負荷運転時などエンジン１の発熱が多くなってサーモスタット５を通過する冷却水の温度が高くなったときには、サーモスタット５の開度が大となって第１冷却水回路のメイン経路を通過する冷却水の流量が多くなる。
【００６０】
このように、エンジン１の暖機完了後であってリリーフ弁７が閉弁しているとき、サーモスタット５が開弁しているとしても、エンジン１の暖機完了直後などサーモスタット５の開度が小である場合には、上述した［１］及び［２］に示される状況が生じる可能性がある。このため、エンジン１の暖機完了後であってリリーフ弁７が閉弁するとともにサーモスタット５が開弁しているとき、上記［１］もしくは［２］の状況が生じた場合にも、ウォータポンプ３の冷却水の吐出流量が上記開弁値以上に増大されてリリーフ弁７が開弁される。これにより、図５に示されるように、第１冷却水回路においてメイン経路とバイパス経路との両方を用いて冷却水が循環し、エンジン１を通過する冷却水が多くされるようになる。従って、上記［１］の状況のときには、上記リリーフ弁７の開弁により、エンジン５０内に滞留していた上記冷却水の沸騰が抑制される。また、上記［２］の状況のときには、上記リリーフ弁７の開弁により、エンジン５０の発熱により昇温した冷却水がヒータコア６をより多く通過するようになる。その結果、車室内に送風される空気が上記冷却水で効果的に加熱され、車室内の暖房要求を満たすことができるようになる。
【００６１】
ちなみに、エンジン１の暖機完了後、エンジン１の高負荷運転等に起因してサーモスタット５を通過する冷却水の温度が高くなると、上記［１］及び［２］に示される状況は生じなくなる。これは、サーモスタット５を通過する冷却水の温度が高いときには、サーモスタット５の開度が大となって第１冷却水回路のメイン経路を通過する冷却水の流量が多くなり、それに伴いエンジン１を通過する冷却水の量も多くなることから、エンジン５０内に冷却水が滞留して同冷却水が沸騰するということがないためである。また、サーモスタット５を通過する冷却水の温度が高いときには、ヒータコア６を通過する冷却水の温度も高くなり、その冷却水によって車室内に送風される空気を効果的に加熱することが可能なためである。なお、図６は、冷却水の温度上昇に伴ってサーモスタット５の開度が大となったときの冷却装置での冷却水の循環態様を示している。
【００６２】
次に、本実施形態の冷却装置におけるウォータポンプ３の駆動手順について、ポンプ駆動ルーチンを示す図７のフローチャートを参照して説明する。このポンプ駆動ルーチンは、エンジン冷却制御部１１を通じて、例えば所定時間毎の時間割り込みにて周期的に実行される。
【００６３】
同ルーチンにおいては、まず、エンジン冷却要求があるか否かが判断される（Ｓ１０１）。こうしたエンジン冷却要求は、上記［１］の状況が生じたとき、すなわちリリーフ弁７の閉弁時にエンジン１の内部に滞留する冷却水が同エンジン１の発熱により沸騰するおそれのある値まで昇温したとき等になされる。なお、エンジン１の内部の冷却水の温度は、水温センサ１２によって検出される冷却水温ｔｈｗ１と、エンジン１の仕事量（エンジン１の発熱量に対応）を表すパラメータであるエンジン回転速度及びエンジン負荷といったエンジン運転状態とに基づき推定される。そして、こうした推定された冷却水の温度（以下、推定水温ｔｈｗ２）がエンジン１内部で冷却水の沸騰を招くおそれのある値まで上昇したとき、上記エンジン冷却要求がなされることとなる。なお、上記エンジン負荷は、エンジン１の１サイクル毎に同エンジン１に吸入される空気の量を表しており、回転速度センサ１５に基づき検出されるエンジン回転速度、及びエアフローメータ１６により検出されるエンジン１の吸入空気量に基づき求められる。
【００６４】
Ｓ１０１の処理で否定判定であれば、車室内の暖房要求があるか否かの判断が行われる（Ｓ１０２）。こうした車室内の暖房要求は、上記［２］の状況が生じたとき、すなわちエンジン１の温度保持よりも車室内の暖房を優先すべきほどの暖房が必要とされるとき、例えば車室内の温度が低く且つ車室内に送風される空気の量が多いときになされることとなる。そして、Ｓ１０２の処理で否定判定であれば、上記エンジン冷却要求も上記暖房要求もないことから、リリーフ弁７を閉弁状態とすべくウォータポンプ３の吐出流量が上記開弁値未満の値を上限として制御される（Ｓ１０４）。なお、このときのウォータポンプ３の吐出流量は、例えば、水温センサ１２によって検出される冷却水温ｔｈｗ１と、エンジン１の仕事量（エンジン１の発熱量に対応）を表すパラメータであるエンジン回転速度及びエンジン負荷といったエンジン運転状態とに基づき可変とされる。また、このときのウォータポンプ３の吐出流量は、エンジン１が運転中であるか停止中であるかといったエンジン運転状態に応じても可変とされる。
【００６５】
一方、Ｓ１０１の処理とＳ１０２の処理とのいずれかで肯定判定であれば、上記エンジン冷却要求と上記暖房要求との少なくとも一方があることから、リリーフ弁７を開弁状態とすべくウォータポンプ３の吐出流量が上記開弁値以上の値を下限として制御される（Ｓ１０３）。なお、このときのウォータポンプ３の吐出流量も、上記と同様、冷却水温ｔｈｗ１、エンジン回転速度及びエンジン負荷といったエンジン運転状態、並びに、エンジン１が運転中であるか停止中であるかといったエンジン運転状態に基づき可変とされる。
【００６６】
ここで、上記［１］もしくは［２］の状況にあって、閉弁しているリリーフ弁７をウォータポンプ３の吐出流量の増大によって開弁させる際、そのウォータポンプ３の実際の吐出流量が上記開弁値から増大するに従って、リリーフ弁７の開度を例えば図８に実線で示されるように応答性よく且つ精度よく徐々に大きくしてゆくことが望まれている。こうしたことが望まれているのは次の理由による。
【００６７】
すなわち、ウォータポンプ３の吐出流量が少ないときには、リリーフ弁７の開度が小さすぎると、例えば上記［１］の状況下ではエンジン１の内部に冷却水が滞留しやすくなって同冷却水が沸騰するおそれがある。また、ウォータポンプ３の吐出流量が多いときには、リリーフ弁７の開度が大きすぎると、例えば上記［２］の状況下ではエンジン１内に滞留した高温の冷却水が急速にエンジン１外に流され、エンジン１内部が新たに流入した冷却水により冷えすぎた状態となってエンジン１の燃費が悪化するおそれがある。更に、例えば上記［１］の状況ではエンジン１内に滞留した高温の冷却水が急速にエンジン１外に流されることにより、エンジン１内やエンジン１下流側での冷却水の温度が急変し、その冷却水の温度の急変に伴いエンジン１内部やエンジン１下流の部品に亀裂が生じるおそれもある。以上のような各種の不具合が生じないようにするためには、上記［１］もしくは［２］の状況にあって、閉弁しているリリーフ弁７を開弁する際、ウォータポンプ３の吐出流量の変化に従ってリリーフ弁７の開度を上記のように応答性よく且つ精度よく徐々に変化させてゆくことが好ましい。
【００６８】
この点、リリーフ弁７は、ばね８の弾性力により閉弁方向に付勢されるとともに自身の上流側の圧力と下流側の圧力との圧力差に基づく力を開弁方向に受ける弁体９を備えている。このため、閉弁しているリリーフ弁７の開弁については、同リリーフ弁７の上流側の圧力と下流側の圧力との圧力差に基づき弁体９に対し開弁方向に働く力がばね８の弾性力により同弁体に対し閉弁方向に作用する力よりも大きくなるよう、ウォータポンプ３の吐出流量を増大させることによって実現される。
【００６９】
上述したようにウォータポンプ３の吐出流量を増大させてリリーフ弁７を開弁させる際、そのリリーフ弁７の開度はウォータポンプ３の実際の吐出流量の変化に対応して応答性よく且つ精度よく調整される。すなわち、ウォータポンプ３の吐出流量が変化すると、それに応じてリリーフ弁７の弁体９の上流側の圧力と下流側の圧力との圧力差、更には同圧力差に基づき上記弁体９に作用する力の大きさが速やかに変化し、その変化後の力に基づいてリリーフ弁７（弁体９）の開度が速やかに且つ精度よく調整される。このため、リリーフ弁７を開弁状態とするためのウォータポンプ３の吐出流量をエンジン運転状態等に応じて変化させる際、ウォータポンプ３の吐出流量の変化過程で同変化に対しリリーフ弁７の開度の変化に応答遅れが生じることはない。
【００７０】
仮に、こうした応答遅れが生じたとすると、ウォータポンプ３の吐出流量が少ない状態のもとでリリーフ弁７の開度が適正値（図８の実線）に対し例えば点Ｐ１で示される小さすぎる値になるおそれがあり、このことが上記［１］の状況下で生じた場合には、エンジン１の内部に冷却水が滞留しやすくなって同冷却水が沸騰するというおそれがある。しかし、本実施形態では、こうした不具合の発生を抑制することができる。また、上述したようにウォータポンプ３の吐出流量の変化に対しリリーフ弁７の開度の変化に応答遅れが生じたとすると、ウォータポンプ３の吐出流量が多い状態のもとでリリーフ弁７の開度が適正値（図８の実線）に対し点Ｐ２で示される大きすぎる値になるおそれがある。このことが上記［２］の状況下で生じた場合にはエンジン１の内部が新たに流入した冷却水により冷えすぎた状態となってエンジン１の燃費が悪化するおそれがあり、上記［１］の状況下で生じた場合にはエンジン１の内部や同エンジン１の下流側での冷却水の温度が急変して部品に亀裂が生じるおそれがある。しかし、本実施形態では、これらの不具合の発生を抑制することができる。
【００７１】
以上詳述した本実施形態によれば、以下に示す効果が得られるようになる。
（１）第１冷却水回路のバイパス経路の冷却水と第２冷却水回路の冷却水とを混合させる弁としてリリーフ弁７を用いることにより、ウォータポンプ３の実際の吐出流量が変化するに従って上記弁（リリーフ弁７）の開度を応答性よく且つ精度よく徐々に変化させてゆくことができる。これにより、上述した各種の不具合、すなわちエンジン１の内部での冷却水の沸騰、エンジン１の内部及びその下流側での冷却水の温度の急変に伴う部品の亀裂、及びエンジン１の燃費悪化といった不具合の発生を抑制することができる。また、ウォータポンプ３の吐出流量の増大に従って上記弁の開度を応答性よく且つ精度よく徐々に大きくしてゆくことを、リリーフ弁７という簡単な構成で実現することができる。
【００７２】
（２）ウォータポンプ３の吐出流量に関しては、上記［１］の状況等でなされるエンジン冷却要求があるとき、上記開弁値以上の値を下限としてエンジン運転状態に基づき制御される。このため、エンジン冷却要求があることに基づき、リリーフ弁７を開弁状態とすべくウォータポンプ３の吐出流量を増大させる際、そのウォータポンプ３の吐出流量はエンジン運転状態に応じて可変とされるようになる。こうした状況のもとでも、リリーフ弁７の開度は、エンジン運転状態に応じて可変とされるウォータポンプ３の実際の吐出流量の変化に対応して、応答性よく且つ精度よく調整されるようになる。
【００７３】
このため、エンジン冷却要求があるときにリリーフ弁７を開弁状態とするためのウォータポンプ３の吐出流量をエンジン運転状態に応じて変化させる過程で、その吐出流量の変化に対しリリーフ弁７の開度の変化に応答遅れが生じることはない。そして、その応答遅れに起因して上記［１］の状況下でエンジンの内部に冷却水が滞留しやすくなって同冷却水が沸騰するという不具合が生じることは抑制される。また、上記ウォータポンプ３の吐出流量の変化に対しリリーフ弁７の開度の変化に応答遅れが生じ、その応答遅れに起因して上記［１］の状況下でエンジンの内部や同エンジンの下流側での冷却水の温度が急変して部品に亀裂が生じるという不具合が生じることも抑制される。このように、リリーフ弁７の採用により、ウォータポンプ３の吐出流量の変化に従って同弁７の開度を応答性よく且つ精度よく変化させることができ、上述した各種の不具合が生じることを簡単な構成で抑制することができる。
【００７４】
（３）また、ウォータポンプ３の吐出流量に関しては、上記［２］の状況等でなされる暖房要求があるとき、上記開弁値以上の値を下限としてエンジン運転状態に基づき制御される。このため、暖房要求があることに基づき、リリーフ弁７を開弁状態とすべくウォータポンプ３の吐出流量を増大させる際、そのウォータポンプ３の吐出流量はエンジン運転状態に応じて可変とされるようになる。こうした状況のもとでも、リリーフ弁７の開度は、エンジン運転状態に応じて可変とされるウォータポンプ３の吐出流量の変化に対応して応答性よく且つ精度よく調整されるようになる。
【００７５】
このため、暖房要求のあるときにリリーフ弁７を開弁状態とするためのウォータポンプ３の吐出流量をエンジン運転状態に応じて変化させる過程で、ウォータポンプ３の吐出流量の変化に対しリリーフ弁７の開度の変化に応答遅れが生じることはない。そして、その応答遅れに起因して上記［２］の状況下でエンジンの内部が新たに流入した冷却水により冷えすぎた状態となって同エンジンの燃費が悪化するという不具合が生じることは抑制される。このように、リリーフ弁７の採用により、ウォータポンプ３の吐出流量の変化に従って同弁７の開度を応答性よく且つ精度よく変化させることができ、上述した不具合が生じることを簡単な構成で抑制することができる。
【００７６】
［第２実施形態］
次に、本発明の第２実施形態を図９〜図１４に基づき説明する。
この実施形態の冷却装置は、第１実施形態の冷却装置に対し、図９に示されるようにリリーフ弁７を迂回する迂回通路２１、及び同通路２１の冷却水の通過を許可したり禁止したりすべく開閉するサーモ弁２２が追加されている。このサーモ弁２２は、第１冷却水回路におけるエンジン１の出口部分よりも高い位置に設けられており、閉弁時（迂回通路２１の遮断時）であってもエンジン１の熱により昇温した冷却水の熱対流等に起因する流入を受ける。そして、サーモ弁２２は、第１冷却水回路の冷却水の温度がエンジン１の暖機完了の判定値（例えば８０℃）未満のときには閉弁状態となって迂回通路２１での冷却水の通過を禁止し、その冷却水の温度が上記判定値以上であるときには同冷却水の熱を受けて開弁する。
【００７７】
図１０及び図１１は、冷間状態からのエンジン１の始動開始後であって、同エンジン１の暖機完了前における冷却装置での冷却水の流れを示している。通常、このときには第１実施形態と同様にサーモスタット５及びリリーフ弁７が共に閉弁され、図１０に示されるように第１冷却水回路での冷却水の循環が禁止されるとともに、第２冷却水回路においてのみ冷却水が循環されるようになる。すなわち、このときの冷却水は、ウォータポンプ３から、排熱回収器２、ヒータコア６、及びサーモスタット５を通って循環される。
【００７８】
そして、サーモスタット５及びリリーフ弁７が共に閉弁されており、第１冷却水回路での冷却水の循環が禁止されているとき、上記［１］もしくは［２］の状況が生じると、ウォータポンプ３の冷却水の吐出流量が上記開弁値以上に増大されてリリーフ弁７が開弁される。これにより、第１冷却水回路の冷却水が第２冷却水回路のヒータコア６上流に流されて同回路の冷却水と混合され、図１１に示されるように第１冷却水回路のバイパス経路を通じての同回路での冷却水の循環が行われるようになる。このとき、迂回通路２１のサーモ弁２２には第１冷却水回路の冷却水が熱対流等により流れ込むものの、その冷却水の温度が上記判定値未満であることから、サーモ弁２２は閉弁状態とされて迂回通路２１の冷却水の通過を禁止する。
【００７９】
図１２は、エンジン１の暖機完了後における冷却装置での冷却水の流れを示している。通常、このときにはサーモスタット５が開弁されるとともにリリーフ弁７が閉弁され、第２冷却水回路での冷却水の循環、及び第１冷却水回路のメイン経路を通じての冷却水の循環が行われるようになる。すなわち、サーモスタット５を通過する冷却水の温度が上記規定値以上であることに基づきサーモスタット５が開弁されるとともに、リリーフ弁７が閉弁するようウォータポンプ３の吐出流量が上記開弁値未満とされる。ただし、このときには迂回通路２１のサーモ弁２２に熱対流により流れ込む第１冷却水回路の冷却水が上記判定値以上となるため、サーモ弁２２が開弁状態とされて迂回通路２１の冷却水の通過が許可され、第１冷却水回路のバイパス通路（迂回通路２１）を通じての同回路の冷却水の循環も行われる。
【００８０】
このように、エンジン１の暖機完了後、すなわち第１冷却水回路の冷却水の温度が上記判定値以上であれば、サーモ弁２２及び迂回通路２１を通じて第１冷却水回路での冷却水の循環が行われるため、その循環を行うためのリリーフ弁７の開弁を目的としてウォータポンプ３の吐出流量を上記開弁値以上に調整する必要はない。従って、第１冷却水回路の冷却水が上記判定値以上であるとき、リリーフ弁７を開弁状態とすべくウォータポンプ３の吐出流量を上記開弁値以上に調整することを行わなくてもよい分、そのウォータポンプ３の駆動に用いられる電気エネルギを削減することができる。
【００８１】
なお、エンジン１の暖機完了後、エンジン１の高負荷運転等に起因してサーモスタット５を通過する冷却水の温度が高くなり、同サーモスタット５の開度が大となると、上記［１］及び［２］に示される状況は生じなくなる。なお、図１３は、冷却水の温度上昇に伴って上記のようにサーモスタット５の開度が大となったときの冷却装置での冷却水の循環態様を示している。
【００８２】
次に、本実施形態の冷却装置におけるウォータポンプ３の駆動手順について、ポンプ駆動ルーチンを示す図１４のフローチャートを参照して説明する。このポンプ駆動ルーチンは、第１実施形態のポンプ駆動ルーチンに対しＳ２０１の処理が追加されており、同ルーチンと同様にエンジン冷却制御部１１を通じて所定時間毎の時間割り込みにて周期的に実行される。
【００８３】
図１４のポンプ駆動ルーチンにおいては、まず、水温センサ１２によって検出される冷却水温ｔｈｗ１が上記判定値未満であるか否か、言い換えればエンジン１の暖機完了前であるか否かが判断される（Ｓ２０１）。ここで肯定判定であれば、エンジン冷却要求と暖房要求との一方があり、Ｓ２０２とＳ２０３との一方での肯定判定に基づき、ウォータポンプ３の吐出流量が上記開弁値以上の値を下限としてエンジン運転状態に基づき制御される（Ｓ２０４）。また、エンジン冷却要求も暖房要求もなく、Ｓ２０２とＳ２０３とで共に否定判定された場合には、ウォータポンプ３の吐出流量が上記開弁値未満の値を上限としてエンジン運転状態に基づき制御される（Ｓ２０５）。一方、Ｓ２０１で冷却水温ｔｈｗ１が上記判定値以上であり、エンジン１の暖機完了後である旨判断された場合も、Ｓ２０５の処理が行われてウォータポンプ３の吐出流量が上記開弁値未満の値を上限としてエンジン運転状態に基づき制御される。
【００８４】
本実施形態によれば、第１実施形態の（１）〜（３）の効果に加え、以下に示す効果が得られる。
（４）第１冷却水回路の冷却水の温度がエンジン１の暖機完了の判定値以上であれば、上記リリーフ弁７を迂回する迂回通路２１での冷却水の通過を許可したり禁止したりすべく開閉するサーモ弁２２が開弁し、そのサーモ弁２２及び迂回通路２１を通じて第１冷却水回路での冷却水の循環が行われる。このため、リリーフ弁７を開弁状態とすべくウォータポンプ３の吐出流量を上記開弁値以上に調整することは、第１冷却水回路の冷却水が上記判定値未満である状況下に限って行えばよく、第１冷却水回路の冷却水が上記判定値以上であるときには行う必要がない。そして、リリーフ弁７を開弁状態とすべくウォータポンプ３の吐出流量を上記開弁値以上に調整することは、図１４のポンプ駆動ルーチンから分かるように、第１冷却水回路の冷却水が上記判定値未満である状況下に限って行われる。従って、第１冷却水回路の冷却水が上記判定値以上であるとき、リリーフ弁７を開弁状態とすべくウォータポンプ３の吐出流量を上記開弁値以上となるよう増大側に調整することを行わない分、そのウォータポンプ３の駆動に用いられる電気エネルギ（消費電力）を削減することができる。
【００８５】
［その他の実施形態］
なお、上記各実施形態は、例えば以下のように変更することもできる。
・第１及び第２実施形態において、リリーフ弁７を開弁状態とすることを目的としたウォータポンプ３の制御（図７のＳ１０３、図１４のＳ２０４）に関しては、エンジン冷却要求があるときに限って行うようにしたり、或いは暖房要求があるときに限って行うようにしたりしてもよい。
【００８６】
・第２冷却水回路におけるヒータコア６の上流側にＥＧＲクーラを設けてもよい。こうしたＥＧＲクーラは、ＥＧＲガスを第２冷却水回路の冷却水により冷却するためのものであり、その冷却の際にエンジン１の排ガスの熱と第２冷却水回路の冷却水との熱交換を行って排ガスの熱で冷却水を加熱する熱交換器として機能する。
【００８７】
・第２実施形態において、サーモ弁２２を第１冷却水回路におけるエンジン１の出口部分よりも低い位置に設けてもよい。この場合、第１冷却水回路の熱対流を利用しないサーモ弁２２の開弁手法として、リリーフ弁７の閉弁時に迂回通路２１を僅かに冷却水が流れるようサーモ弁２２を形成し、その冷却水の熱によりサーモ弁２２を開弁できるようにすることが考えられる。
【符号の説明】
【００８８】
１…エンジン、２…排熱回収器、３…ウォータポンプ、４…ラジエータ、５…サーモスタット、６…ヒータコア、７…リリーフ弁、８…ばね、９…弁体、１１…エンジン冷却制御部、１２…水温センサ、１３…空調制御部、１５…回転速度センサ、１６…エアフローメータ、２１…迂回通路、２２…サーモ弁。
【図１】
2011099400.tif 000003
【図２】
2011099400.tif 000004
【図３】
2011099400.tif 000005
【図４】
2011099400.tif 000006
【図５】
2011099400.tif 000007
【図６】
2011099400.tif 000008
【図７】
2011099400.tif 000009
【図８】
2011099400.tif 000010
【図９】
2011099400.tif 000011
【図１０】
2011099400.tif 000012
【図１１】
2011099400.tif 000013
【図１２】
2011099400.tif 000014
【図１３】
2011099400.tif 000015
【図１４】
2011099400.tif 000016
【図１５】
2011099400.tif 000017
【図１６】
2011099400.tif 000018
【図１７】
2011099400.tif 000019